(57)【要約】【課題】消費電力の増加を抑制し、後処理装置のエラー報知を行うこと。【解決手段】画像形成装置本体１０は、情報を表示する表示パネル１４と、画像形成部と、表示パネル１４、画像形成部、及び後処理装置１１への電力供給又は遮断を切り替えるスイッチング素子１〜６と、スタンバイモード又はスリープモードに応じて電力供給を制御するＣＰＵ１０３と、を有し、後処理装置１１は、ステープル処理を行うステープルユニット１５と、スリープモードにおいて用紙束が挿入されたことを検知する用紙センサ１１２と、ステープル処理の状態を表示するＬＥＤ１７と、ステープルユニット１５を制御するＣＰＵ１１４と、を有し、ＣＰＵ１１４は、スリープモードにおいてステープル処理の際に異常が発生した場合には、異常に応じて、ＬＥＤ１７による報知、又はＣＰＵ１０３に異常を通知して、表示パネル１４による異常の報知を行う。【選択図】図２
2019043037.tif 000002
【特許請求の範囲】
【請求項１】
用紙に画像形成を行う画像形成部と、
前記画像形成部で画像形成された用紙が搬送され、搬送された前記用紙を束ねた用紙束をステープラにより綴じるステープル処理を行う後処理装置と、を備え、
前記画像形成部及び前記後処理装置を画像形成が可能な状態のスタンバイモード、又は画像形成を行わない省電力のスリープモードに切り替え可能な画像形成装置であって、
前記画像形成装置は、情報を表示する第一の表示手段と、前記画像形成部、前記第一の表示手段、及び前記後処理装置への電力の供給又は遮断を切り替える切替手段と、前記スタンバイモード又は前記スリープモードに応じて前記切替手段により前記画像形成部、前記第一の表示手段、及び前記後処理装置への電力供給を制御する第一の制御手段と、を有し、
前記後処理装置は、前記ステープル処理を行うステープル手段と、前記スリープモードにおいてステープル処理を行う用紙束が挿入される挿入口に用紙束が挿入されたことを検知する検知手段と、前記ステープル処理の状態を表示する第二の表示手段と、用紙束の前記ステープル処理を行うために前記ステープル手段を制御する第二の制御手段と、を有し、
前記第二の制御手段は、前記スリープモードにおいて前記ステープル処理を行った際に異常が発生した場合には、前記異常に応じて、前記第二の表示手段による報知、又は前記第一の制御手段に前記異常を通知し、前記第一の表示手段による前記異常の報知を行うことを特徴とする画像形成装置。
【請求項２】
前記検知手段は、用紙束の検知結果を前記第一の制御手段及び前記第二の制御手段に出力し、
前記第一の制御手段は、
前記スタンバイモードから前記スリープモードに切り替える場合には、前記切替手段により、前記画像形成装置の前記第一の表示手段及び前記画像形成部への電力供給の遮断と、前記後処理装置の前記ステープル手段、前記第二の表示手段、及び前記第二の制御手段への電力供給の遮断と、前記検知手段への電力供給と、を行い、
前記検知手段が用紙束を検知した場合には、前記ステープル処理を行うため、前記切替手段により前記後処理装置の前記ステープル手段、前記第二の表示手段、及び前記第二の制御手段への電力供給を行うことを特徴とする請求項１に記載の画像形成装置。
【請求項３】
前記第一の制御手段は、前記異常の報知のため、前記切替手段により前記第一の表示手段に電力を供給することを特徴とする請求項２に記載の画像形成装置。
【請求項４】
前記ステープル手段は、用紙束を綴じるステープラと、前記ステープラを所定の位置に移動させるモータと、前記ステープラの位置を検知する位置検知手段と、前記ステープラの針の有無を検知する針検知手段と、を有することを特徴とする請求項３に記載の画像形成装置。
【請求項５】
前記第二の制御手段は、前記ステープラの針なしが発生し、前記針検知手段が前記ステープラの針なしを検知した場合には、前記第二の表示手段により、前記針なしを報知することを特徴とする請求項４に記載の画像形成装置。
【請求項６】
前記第二の制御手段は、前記針検知手段が前記ステープラの針の装着を検知した場合には、前記第二の表示手段による異常の報知を停止することを特徴とする請求項５に記載の画像形成装置。
【請求項７】
前記第二の制御手段は、前記針検知手段が前記ステープラの針なしを所定時間、継続して検知した場合には、前記第二の表示手段による異常の報知を停止し、前記検知手段が前記ステープラの針なしを前記ステープル処理の前に検知していた場合には、前記第一の表示手段による前記異常の報知を行うために、前記第一の制御手段に前記異常を通知することを特徴とする請求項５又は請求項６に記載の画像形成装置。
【請求項８】
前記第二の制御手段は、前記針検知手段が前記ステープラの針なしを所定時間、継続して検知した場合には、前記第二の表示手段による異常の報知を停止し、前記検知手段が前記ステープラの針なしを前記ステープル処理の後に検知した場合には、前記スリープモードに移行することを特徴とする請求項５又は請求項６に記載の画像形成装置。
【請求項９】
前記第二の表示手段は、ＬＥＤであり、
前記第二の制御手段は、前記ＬＥＤを点滅させることにより、前記異常を報知することを特徴とする請求項５から請求項８のいずれか１項に記載の画像形成装置。
【請求項１０】
前記第二の表示手段は、ブザーであり、
前記第二の制御手段は、前記ブザーを鳴動させることにより、前記異常を報知することを特徴とする請求項５から請求項８のいずれか１項に記載の画像形成装置。
【請求項１１】
前記第二の制御手段は、前記モータの異常が発生した場合には、前記第二の表示手段による異常の報知を行わず、前記第一の制御手段に前記モータの異常を通知することを特徴とする請求項４に記載の画像形成装置。
【請求項１２】
前記第二の制御手段は、前記位置検知手段の検知結果により、前記ステープラが所定の時間内に所定の位置まで移動しないことにより、前記モータの異常を検知することを特徴とする請求項１１に記載の画像形成装置。
【請求項１３】
前記第二の制御手段は、前記ステープラの針づまり異常が発生した場合には、前記第二の表示手段による異常の報知を行わず、前記第一の制御手段に前記ステープラの針づまりを通知することを特徴とする請求項４に記載の画像形成装置。
【請求項１４】
前記第二の制御手段は、前記ステープラが用紙束を綴じた後、所定の状態に復帰しないことにより、前記ステープラの針づまり異常を検知することを特徴とする請求項１３に記載の画像形成装置。
【請求項１５】
前記第一の制御手段は、前記切替手段により前記ステープル手段への電力供給を遮断することを特徴とする請求項７、請求項１１から請求項１４のいずれか１項に記載の画像形成装置。
【請求項１６】
前記第二の制御手段は、前記検知手段が用紙束を検知した後に、前記ステープル手段による前記ステープル処理を行う前に前記用紙束を検知しなくなった場合には、所定の時間内に再度、用紙束を検知した場合には前記ステープル処理を行い、前記所定の時間内に用紙束を検知しない場合には、前記スリープモードに移行することを特徴とする請求項２から請求項１５のいずれか１項に記載の画像形成装置。
【発明の詳細な説明】
【技術分野】
【０００１】
本発明は、用紙束を綴じるステープル機能を有する後処理装置を備える画像形成装置に関する。
【背景技術】
【０００２】
プリンタ等の画像形成装置の中には、画像形成された用紙を束ねて綴じるステープル処理を行う後処理装置を備えている画像形成装置がある。このような後処理装置は、次のような２種類の機能を備えていることが従来から知られている。１つの機能は、画像形成装置本体で画像形成が行われ、後処理装置に搬送された用紙を束ねてステープル処理を行う機能である。もう１つの機能は、画像形成装置本体のプリント動作とは独立に、ユーザが後処理装置の所定の挿入口に用紙束を挿入すると、挿入された用紙束にステープル処理を行うマニュアルステープル機能である。
【０００３】
近年では、これら２つの機能を有する後処理装置を備えた画像形成装置においても、消費電力の低減とユーザビリティの向上を両立させる各種の制御が提案されている。例えば、特許文献１では、マニュアル操作で用紙にステープル処理を実施する画像形成装置が提案されている。特許文献１で提案されている画像形成装置では、ステープル手段を用紙束が挿入されるマニュアルステープル位置に移動させる。その後、画像形成装置は、画像形成を行うスタンバイモードから、画像形成は行わず、装置の消費電力を低減させる省電力モード（以下、スリープモードという）に移行する。スリープモード時にマニュアルステープルの挿入口に用紙束が挿入された場合には、画像形成装置は省電力モードのままで、ステープル処理を行う後処理装置のみがスリープモードから復帰し、ステープル処理を実行する。
【先行技術文献】
【特許文献】
【０００４】
【特許文献１】特開２０１４−１６２５９０号公報
【発明の概要】
【発明が解決しようとする課題】
【０００５】
上述したステープル処理を行う後処理装置を備えた画像形成装置では、スリープモード中に用紙束を後処理装置のマニュアルステープル位置に挿入すると、次のような動作が実行される。すなわち、画像形成装置本体は消費電力を低減するため、スリープモードを維持する一方、後処理装置はステープル処理を実行するために、制御部のみがスリープモードからスタンバイモードに復帰し、挿入された用紙束にマニュアルステープル処理を実行する。ところが、後処理装置がマニュアルステープル処理を実行中に、エラーが発生した場合には、次のような課題が生じる。すなわち、表示装置にエラー情報を表示させるためには、画像形成措置をスリープモードからスタンバイモードに復帰させる必要がある。ところが、画像形成装置は、消費電力を低減させるためにスリープモードを維持しているため、表示装置にエラー情報を表示させることができない。その結果、後処理装置のエラー報知を行うことができず、ユーザビリティが低下するという課題が生じる。
【０００６】
本発明は、このような状況のもとでなされたもので、消費電力の増加を抑制し、後処理装置のエラー報知を行うことを目的とする。
【課題を解決するための手段】
【０００７】
前述の課題を解決するために、本発明は、以下の構成を備える。
【０００８】
（１）用紙に画像形成を行う画像形成部と、前記画像形成部で画像形成された用紙が搬送され、搬送された前記用紙を束ねた用紙束をステープラにより綴じるステープル処理を行う後処理装置と、を備え、前記画像形成部及び前記後処理装置を画像形成が可能な状態のスタンバイモード、又は画像形成を行わない省電力のスリープモードに切り替え可能な画像形成装置であって、前記画像形成装置は、情報を表示する第一の表示手段と、前記画像形成部、前記第一の表示手段、及び前記後処理装置への電力の供給又は遮断を切り替える切替手段と、前記スタンバイモード又は前記スリープモードに応じて前記切替手段により前記画像形成部、前記第一の表示手段、及び前記後処理装置への電力供給を制御する第一の制御手段と、を有し、前記後処理装置は、前記ステープル処理を行うステープル手段と、前記スリープモードにおいてステープル処理を行う用紙束が挿入される挿入口に用紙束が挿入されたことを検知する検知手段と、前記ステープル処理の状態を表示する第二の表示手段と、用紙束の前記ステープル処理を行うために前記ステープル手段を制御する第二の制御手段と、を有し、前記第二の制御手段は、前記スリープモードにおいて前記ステープル処理を行った際に異常が発生した場合には、前記異常に応じて、前記第二の表示手段による報知、又は前記第一の制御手段に前記異常を通知し、前記第一の表示手段による前記異常の報知を行うことを特徴とする画像形成装置。
【発明の効果】
【０００９】
本発明によれば、消費電力の増加を抑制し、後処理装置のエラー報知を行うことができる。
【図面の簡単な説明】
【００１０】
【図１】実施例１、２の後処理装置を備えた画像形成装置の外観図
【図２】実施例１、２の後処理装置と画像形成装置本体の構成の示すブロック図
【図３】実施例１、２の画像形成装置本体及び後処理装置の各装置の状態と運用モードの対応を示す図
【図４−１】実施例１のマニュアルステープル処理の制御シーケンスを示すフローチャート
【図４−２】実施例１のマニュアルステープル処理の制御シーケンスを示すフローチャート
【図５】実施例１、２の後処理装置と画像形成装置本体の構成の示すブロック図
【図６−１】実施例２のマニュアルステープル処理の制御シーケンスを示すフローチャート
【図６−２】実施例２のマニュアルステープル処理の制御シーケンスを示すフローチャート
【発明を実施するための形態】
【００１１】
以下に、図面を参照して本発明の実施の形態について詳細に説明する。
【実施例１】
【００１２】
［画像形成装置及び後処理装置］
図１は、実施例１の画像形成装置１００を斜め正面から見たときの外観図である。画像形成装置１００は、記録媒体である用紙に画像形成を行う画像形成装置本体１０と、画像形成された用紙のステープラによる綴じ込み処理を行う後処理装置１１から構成されている。画像形成装置本体１０は、給紙カセット１２内の用紙を、画像形成を行う画像形成部に搬送し、画像形成を行う。画像形成装置本体１０は、データ入力や処理を指示するための操作スイッチ（操作ＳＷともいう）と情報が表示されるディスプレイを備える表示パネル１４や、画像形成装置１００の電源スイッチである主電源スイッチ（電源ＳＷともいう）１３を備えている。画像形成装置本体１０は、用紙が積載された給紙カセット１２から給紙された用紙に画像形成を行う。その後、画像形成された用紙は、排出口２１から排出されたり、ステープル処理を行う場合には後処理装置１１へと搬送される。
【００１３】
後処理装置１１は、２つの排出トレイ１８、１９を有しており、画像形成装置本体１０の排出口２１から排出された用紙は、排出トレイ１８に積載される。また、後処理装置１１は、画像形成装置本体１０から画像形成された用紙を受け取り、排出トレイ１９にそのまま排出する、又は後述する用紙整合部１１９（図２参照）に載置する。後処理装置１１では、用紙整合部１１９に載置された用紙が所定数になると、用紙整合部１１９は、載置された用紙の端部を揃える処理を行う。その後、用紙整合部１１９の用紙束は、図中、矢印方向に移動可能なステープル手段であるステープラユニット１５によるステープル処理により綴じ込まれる。そして、綴じ込まれた用紙束は、排出口２２を介して排出トレイ１９に排出される。また、後処理装置１１には、画像形成装置１００がスリープモードでもマニュアルステープル処理が行えるように、用紙束を挿入するための用紙束挿入口１６と、用紙束挿入口１６に用紙束が挿入されたことを検知すると、点灯するＬＥＤ１７が設けられている。更に、後処理装置１１には前ドア２０が設けられ、ステープラユニット１５が備えるステープラ１１５（図２参照）に針を追加する等の保守作業を行う際には、前ドア２０を開けて、ステープラ１１５の針交換が行われる。
【００１４】
本実施例では、ステープラユニット１５が図中、矢印方向に移動することで、画像形成装置本体１０から排出されてきた用紙束と、ユーザが用紙束挿入口１６から挿入した用紙束は、共に同じステープラユニット１５でステープル処理を行う構成を示している。例えば、２つのステープラユニットを設け、一方は、画像形成装置本体１０から排出された用紙束を綴じるステープル処理を行い、他方は、用紙束挿入口１６から挿入された用紙束を綴じる構成でもよい。以下では、ステープラユニット１５が用紙束挿入口１６から挿入された用紙束を綴じる処理をマニュアルステープル処理という。
【００１５】
［画像形成装置本体と後処理装置の構成］
図２は、本実施例の画像形成装置本体１０と後処理装置１１の構成を示すブロック図である。図２において、画像形成装置本体１０は、第一の制御手段であるＣＰＵ１０３が実装された制御基板１０２、画像形成装置本体１０及び後処理装置１１に電力を供給する電源装置１０１、主電源ＳＷ１３、表示パネル１４を有している。また、画像形成装置本体１０は、センサ類（常夜）１０４、センサ類（非常夜）１０５、画像形成部１０６、モータ類１０７を有している。ＣＰＵ１０３と各装置とを結ぶ片方向、又は双方向の矢印は各装置とＣＰＵ１０３との間で送信、又は送受信される信号を示している。ＣＰＵ１０３は、電源装置１０１に電源電圧ＤＣ（直流）２４Ｖの出力、出力停止を指示し、電源装置１０１は、電源電圧ＤＣ２４Ｖ（以下、電源電圧２４Ｖという）、ＤＣ５Ｖ（以下、電源電圧５Ｖという）の出力状態をＣＰＵ１０３に通知する。ＣＰＵ１０３は、第一の表示手段である表示パネル１４にディスプレイに表示する情報を送信し、表示パネル１４はＣＰＵ１０３に操作ＳＷから入力されたデータや指示情報を送信する。主電源ＳＷ１３は、ＣＰＵ１０３にスイッチのオン・オフ状態を通知する。センサ類（常夜）１０４は、例えば前ドア２０の開閉を検知するセンサであり、ＣＰＵ１０３がスリープモードの場合でも状態変化を検知するとＣＰＵ１０３に検知信号を出力する。画像形成部１０６は、用紙に画像形成を行う各種の装置から構成され、モータ類１０７は、画像形成部１０６を駆動するモータであり、センサ類（非常夜）１０５は、画像形成時の画像形成部１０６の各装置の状態を検知するセンサである。ＣＰＵ１０３は、スタンバイモードの画像形成時には、モータ類１０７を起動して画像形成部１０６を駆動し、センサ類（非常夜）１０５による画像形成部１０６の各装置の状態の検知結果に基づいて、画像形成部１０６の動作を制御する。
【００１６】
一方、後処理装置１１は、ＣＰＵ１１４が実装された制御基板１１０、用紙センサ１１２、ステープラユニット１５、ステープラ移動モータ１１８、ステープラ移動モータ１１８用のホームポジションセンサ１１１、用紙整合部１１９を有している。また、後処理装置１１は、第二の表示手段であるマニュアルステープル用のＬＥＤ１７、実施例２で後述するマニュアルステープル用のブザー２３を有している。ＣＰＵ１１４と各装置とを結ぶ片方向、又は双方向の矢印は各装置とＣＰＵ１１４との間で送信、又は送受信される信号を示している。検知手段である用紙センサ１１２は、マニュアルステープル処理を行うために用紙束挿入口１６に挿入された用紙束を検知するためのセンサであり、用紙束の検知状態をＣＰＵ１１４及び画像形成装置本体１０のＣＰＵ１０３に通知する。ステープラユニット１５は、用紙束の綴じ込みを行うステープラ１１５、針なしセンサ１１６、ホームポジションセンサ１１７を有している。針検知手段である針なしセンサ１１６は、ステープラ１１５の針の有無を検知する。そして、位置検知手段であるホームポジションセンサ１１７は、ステープラ１１５が用紙束の綴じ込み処理を行った後に綴じ込み処理前のホームポジション位置の状態に復帰し、針づまりが発生していないかどうかを検知する。また、ホームポジションセンサ１１１は、ステープラユニット１５がホームポジションの位置にあるかどうかを検知するセンサであり、位置検知の状態をＣＰＵ１１４に通知する。ステープラ移動モータ１１８は、ステープラユニット１５を移動させるためのモータであり、ＣＰＵ１１４は、ホームポジションセンサ１１１の検知結果に基づいて、ステープラ移動モータ１１８の制御を行う。また、ＣＰＵ１１４は、ＬＥＤ１７の点灯制御、ブザー２３の鳴動制御を行う。また、後処理装置１１のＣＰＵ１１４と、画像形成装置本体１０のＣＰＵ１０３との間では、後述するエラー表示等のための情報の送受信が行われる。
【００１７】
次に、電源装置１０１から画像形成装置本体１０及び後処理装置１１への電力供給について説明する。電源装置１０１は、制御系の装置を駆動するための電源電圧５Ｖ、及びモータ等の駆動系の装置を駆動するための電源電圧２４Ｖを生成し、画像形成装置本体１０に供給する。なお、画像形成装置本体１０において、電源電圧ＤＣ３．３Ｖ（以下、電源電圧３．３Ｖという）は、電源電圧５Ｖから生成され、画像形成装置本体１０及び後処理装置１１に供給される。
【００１８】
画像形成装置本体１０の制御基板１０２は、電界効果トランジスタ（ＦＥＴ）で構成された電力供給切替手段であるスイッチング素子１〜６を有している。ＣＰＵ１０３は、画像形成装置本体１０及び後処理装置１１の動作状態（スタンバイモード、スリープモード）に応じて、スイッチング素子１〜６のオン・オフ制御を行い、画像形成装置本体１０内の各装置、及び後処理装置１１への電力供給を制御する。スイッチング素子１は、表示パネル１４への電源電圧５Ｖの供給を制御するためのスイッチング素子であり、ＣＰＵ１０３は表示パネル１４からのデータ取得、ディスプレイへの情報表示を行う際には、スイッチング素子１をオンする。なお、画像形成装置１００がスリープモードのときには、スイッチング素子１はオフされる。
【００１９】
スイッチング素子２は、後処理装置１１の用紙センサ１１２への電源電圧３．３Ｖの供給を制御するためのスイッチング素子である。本実施例では、ＣＰＵ１０３は、スリープモードでも、マニュアルステープル処理を行う用紙束の挿入検知のため、スイッチング素子２をオンする。なお、電源電圧３．３Ｖは、ＣＰＵ１０３、主電源ＳＷ１３、センサ類（常夜）１０４にはスイッチング素子を介することなく、常時供給される構成となっている。また、後処理装置１１を備えていない場合には、ＣＰＵ１０３はスイッチング素子２をオフする。
【００２０】
スイッチング素子３は、センサ類（非常夜）１０５への電源電圧３．３Ｖの供給を制御するためのスイッチング素子であり、ＣＰＵ１０３は、画像形成が可能なスタンバイモードの場合には、スイッチング素子３をオンする。また、画像形成装置１００がスリープモードの場合には、ＣＰＵ１０３は、スイッチング素子３をオフする。スイッチング素子４は、電源電圧２４Ｖを画像形成部１０６及びモータ類１０７に供給するためのスイッチング素子であり、ＣＰＵ１０３は、画像形成が可能なスタンバイモードの場合には、スイッチング素子４をオンする。また、画像形成装置１００がスリープモードの場合には、ＣＰＵ１０３は、スイッチング素子４をオフする。
【００２１】
スイッチング素子５は、電源電圧３．３Ｖを後処理装置１１に供給するためのスイッチング素子であり、ＣＰＵ１０３は、後処理装置１１のＣＰＵ１１４やステープラユニット１５等を駆動する際には、スイッチング素子５をオンする。スイッチング素子６は、後処理装置１１のステープラユニット１５、ステープラ移動モータ１１８、用紙整合部１１９を駆動するためのスイッチング素子であり、ＣＰＵ１０３は、後処理装置１１でステープル処理を行う場合には、スイッチング素子６をオンする。
【００２２】
なお、ステープラユニット１５には、電源電圧３．３Ｖと電源電圧２４Ｖの２つの電源電圧が供給されており、電源電圧３．３Ｖは、針なしセンサ１１６及びホームポジションセンサ１１７に供給され、電源電圧２４Ｖは、ステープラ１１５に供給される。また、図２に示す電源電圧を生成する基板や生成された電源電圧の供給経路は一例であり、図２に示す構成に限定するものではなく、他の基板等で異なる電圧を生成する構成であってもよい。本実施例では、上述した電力供給経路の構成により、各装置への電力供給を細かく制御することができ、消費電力を低減させることが可能となっている。
【００２３】
［画像形成装置における電力供給制御］
次に、画像形成装置１００がスタンバイモードとスリープモードの場合の電力供給について説明する。図３は、画像形成装置１００がスタンバイモード及びスリープモードのときの画像形成装置本体１０及び後処理装置１１内の各装置への電力供給状態を表にしたものである。図３において、一番左側の列は、画像形成装置本体１０及び後処理装置１１の状態を示している。図３では、状態を、スタンバイモードを示す状態１と、後処理装置１１の状態に応じて、スリープモードを、第１のスリープ状態から第４のスリープ状態に対応する状態２〜状態５に分けている。また、図３では、画像形成装置本体１０については、ＣＰＵ１０３、表示パネル１４、主電源ＳＷ１３、センサ類（常夜）１０４、センサ類（非常夜）１０５、画像形成部１０６、モータ類１０７の電力供給状態を示している。一方、図３では、後処理装置１１については、用紙センサ１１２、ＣＰＵ１１４、ＬＥＤ１７、ステープラ移動モータ１１８、ホームポジションセンサ１１１、用紙整合部１１９を含むモータ類、ステープラユニット１５の電力供給状態を示している。図中、「ＯＮ」は電力供給されている状態を示し、「ＯＦＦ」は電力供給が遮断されている状態を示している。
【００２４】
続いて、状態１から状態５について説明する。状態１は、画像形成装置１００が画像形成可能な状態であるスタンバイモードであり、ＣＰＵ１０３は、スイッチング素子１〜６をオン状態に設定している。その結果、画像形成装置本体１０及び後処理装置１１内の各装置には、電源電圧３．３Ｖ、５Ｖ、２４Ｖが供給されている状態となっている。一方、状態２は、画像形成装置１００の待機電力を抑制するために、電源電圧２４Ｖの供給を遮断すると共に、電源電圧３．３Ｖについても必要最低限の装置のみ供給しているスリープモードの状態（第１のスリープ状態）である。
【００２５】
状態２では、スイッチング素子２のみがオン状態であり、スイッチング素子１、３〜６はオフ状態に設定されている。その結果、ＣＰＵ１０３を含む制御基板１０２、主電源ＳＷ１３、常夜センサ類１０４、後処理装置１１の用紙センサ１１２だけが稼働した状態となっている。なお、電源電圧２４Ｖの供給を遮断するためにスイッチング素子４及びスイッチング素子６をオフする代わりに、ＣＰＵ１０３が電源装置１０１に電源電圧２４Ｖの生成停止、又は出力停止を指示する構成でもよい。また、例えば給紙カセット１２や前ドア２０の開閉を検知するセンサであるセンサ類（常夜）１０４は、第１のスリープ状態である状態２でも常時監視を行い、状態変化を検知すると、状態２からスタンバイモードの状態１に復帰する際のトリガとして用いられる。
【００２６】
状態３は、画像形成装置１００が状態２のときに、後処理装置１１の用紙センサ１１２が用紙束の挿入を検知したことにより、後処理装置１１がスリープモードからスタンバイモードに復帰した状態（第２のスリープ状態）である。状態３では、スイッチング素子２、５、６がオン状態に設定され、スイッチング素子１、３、４はオフ状態に設定される。その結果、状態２と比べて、画像形成装置本体１０はスリープモードのままで変わらないが、後処理装置１１は全体が稼働している状態（スタンバイモード）となっている。また、後処理装置１１の用紙センサ１１２が用紙束の挿入を検知したことにより、ＣＰＵ１１４はＬＥＤ１７を点灯させる。
【００２７】
状態４は、状態３のときに、後処理装置１１のＣＰＵ１１４が用紙束のステープル処理を行うことができない異常状態（例えば、ステープラ１１５の針なしや用紙束の引き抜き等）を検知した場合の状態（第３のスリープ状態）である。なお、後述するように、状態４のときには、ＣＰＵ１１４はユーザに異常状態を報知するため、ＬＥＤ１７の点滅を行う。更に、後処理装置１１は、ステープル処理を実行できないため、ＣＰＵ１０３は、スイッチング素子２、５はオン状態のままとし、スイッチング素子６をオン状態からオフ状態に設定する。これにより、後処理装置１１への電源電圧２４Ｖの供給が遮断され、後処理装置１１の消費電力の低減を行う。
【００２８】
状態５は、状態４の状態が所定時間、継続した後の状態で、画像形成装置本体１０の表示パネル１４にエラーメッセージを表示する場合の状態（第４のスリープ状態）である。このとき、画像形成装置本体１０のＣＰＵ１０３は、表示パネル１４にエラーメッセージを表示するため、スイッチング素子１をオン状態に設定し、表示パネル１４に電源電圧５Ｖを供給する。なお、ＣＰＵ１０３は、画像形成装置本体１０のスリープ時の消費電力の増加を抑制するため、スイッチング素子３、４はオフ状態のままとしている。また、ＣＰＵ１０３は、後処理装置１１の用紙センサ１１２、ＣＰＵ１１４への電源電圧３．３Ｖの供給を継続するため、スイッチング素子２、５はオン状態のままとしている。
【００２９】
従来の画像形成装置におけるスリープモードでは、状態５のようなスリープモードが設けられていないため、表示パネルにエラーメッセージを表示するには、画像形成装置本体１０をスタンバイモードに復帰させる必要があった。本実施例では、新たなスリープモードを設けることで、画像形成装置１００の消費電力の増加を抑制しながら、表示パネル１４に適切なエラーメッセージを表示させ、ユーザビリティの低下を防止することができる。
【００３０】
［マニュアルステープル処理の制御シーケンス］
図４−１、図４−２は、本実施例の画像形成装置１００がスリープモードのときに、用紙束のマニュアルステープル処理を行う制御シーケンスを示すフローチャートである。図４−１、４−２の処理は、画像形成装置１００が図３に示す状態２（第１のスリープ状態）のときに起動され、画像形成装置本体１０のＣＰＵ１０３、及び後処理装置１１のＣＰＵ１１４により実行される。なお、ＣＰＵ１０３及びＣＰＵ１１４は、それぞれ時間を測定するためのタイマを有しているものとする。また、図４−１、４−２の処理が起動されるときの画像形成装置本体１０では、ＣＰＵ１０３、主電源ＳＷ１３、センサ類（常夜）１０４のみが動作し、スイッチング素子２はオン状態に設定され、スイッチング素子１、３〜６はオフ状態に設定されている。また、後処理装置１１は、スリープ状態に設定され、電源電圧３．３Ｖ、２４Ｖが供給されていない状態である。
【００３１】
ステップ（以下、Ｓという）１００では、ＣＰＵ１０３は、後処理装置１１に設けられた用紙センサ１１２が用紙束挿入口１６のマニュアルステープル位置に用紙束が挿入されたことを検知したかどうか（用紙束を検知？）判断する。ＣＰＵ１０３は、用紙センサ１１２によって用紙束が挿入されたことを検知したと判断した場合には処理をＳ１０１に進め、用紙センサ１１２によって用紙束が挿入されたことを検知していないと判断した場合には処理をＳ１００に戻す。Ｓ１０１では、ＣＰＵ１０３は、後処理装置１１が用紙束のステープル処理が行えるように、スイッチング素子５、６をオン状態に設定する。これにより、後処理装置１１に電源電圧３．３Ｖ、２４Ｖの電力供給が行われ、後処理装置１１はスタンバイ状態（図３の状態３）に移行する。後処理装置１１のＣＰＵ１１４は、電源電圧３．３Ｖが供給されると、後処理装置１１の初期化処理を実行する。
【００３２】
Ｓ１０２では、ＣＰＵ１１４は、後処理装置１１の初期化が正常に終了したかどうかを判断し、正常終了したと判断した場合には処理をＳ１０３に進め、正常終了していないと判断した場合には処理をＳ１２４に進める。なお、ここでの初期化は、用紙束へのマニュアルステープル処理を行うための初期化であるため、正常終了かどうかの判断は、ステープラ１１５の針なし等の異常状態の有無で判断することとする。そのため、例えば排出トレイ１９の満載検知や用紙搬送路のＪＡＭ（紙詰まり）検知は必ずしも実施しなくてもよい。
【００３３】
Ｓ１０３では、ＣＰＵ１１４は、ステープラ１１５をマニュアルステープル位置に移動させるため、ステープラ移動モータ１１８を駆動して、ステープラ１１５を有するステープラユニット１５をマニュアルステープル位置に移動させる。Ｓ１０４では、ＣＰＵ１１４は、ホームポジションセンサ１１１の検知結果に基づいて、所定の時間内にステープラユニット１５がマニュアルステープル位置に移動したかどうか判断する。ＣＰＵ１１４は、ステープラユニット１５が所定の時間以内にマニュアルステープル位置に移動している場合には処理をＳ１０５に進め、マニュアルステープル位置に移動していない場合には処理をＳ１１５に進める。
【００３４】
Ｓ１１５では、ＣＰＵ１１４は、ステープラユニット１５がマニュアルステープル処理を実行する位置に移動できないため、ステープラ移動モータ１１８の故障と判断し、画像形成装置本体１０のＣＰＵ１０３にステープラ移動モータ１１８の故障を通知する。Ｓ１１６では、ＣＰＵ１０３は、表示パネル１４のディスプレイにＣＰＵ１１４から受信したアラーム情報を表示するために、スイッチング素子１をオン状態に設定し、表示パネルに電源電圧５Ｖを供給する（図３の状態５）。更に、ＣＰＵ１０３は、後処理装置１１のステープラ移動モータ１１８等の電源電圧２４Ｖで駆動される装置への電力供給を停止するため、スイッチング素子６をオフ状態に設定する。Ｓ１１７では、ＣＰＵ１０３は、表示パネル１４のディスプレイに、ステープラ移動モータ１１８の故障と主電源をオフすることを促すエラーメッセージの表示を行い、処理を終了する。
【００３５】
Ｓ１０５では、ＣＰＵ１１４は、用紙センサ１１２の検知結果に基づいて、引き続き、用紙束がマニュアルステープル位置にあるかどうか判断する。ＣＰＵ１１４は、用紙束がマニュアルステープル位置にあると判断した場合には処理をＳ１０６に進め、用紙束がマニュアルステープル位置にないと判断した場合には処理をＳ１１８に進める。
【００３６】
Ｓ１０６では、ＣＰＵ１１４は、ＬＥＤ１７を点灯させる（図３の状態３）。Ｓ１０７では、ＣＰＵ１１４は、ステープラユニット１５により、挿入された用紙束へのマニュアルステープル処理を実行する。Ｓ１０８では、ＣＰＵ１１４は、用紙束へのマニュアルステープル処理が正常終了したかどうか判断し、正常終了したと判断した場合には処理をＳ１０９に進め、正常終了していないと判断した場合には処理をＳ１３８に進める。Ｓ１０９では、ＣＰＵ１１４は、用紙束へのマニュアルステープル処理が正常終了したので、ＬＥＤ１７を消灯させる。Ｓ１１０では、ＣＰＵ１１４は、画像形成装置本体１０のＣＰＵ１０３にマニュアルステープル処理の終了を通知し、ユーザが用紙束を挿入した場合に、引き続き、マニュアルステープル処理を行うために、スタンバイ状態で待機する。Ｓ１１１では、ＣＰＵ１０３は、ＣＰＵ１１４からのマニュアルステープル処理終了の通知を受信すると、引き続き、マニュアルステープル処理を行う用紙束の挿入があるかどうかを監視するために、タイマをリセットし、スタートさせる。Ｓ１１２では、ＣＰＵ１０３は、用紙センサ１１２によって用紙束挿入口１６に用紙束が挿入されたことを検知したかどうか（用紙束を検知？）判断する。ＣＰＵ１０３は、用紙センサ１１２が用紙束の挿入を検知したと判断した場合には処理をＳ１０６に戻し、用紙センサ１１２が用紙束の挿入を検知していないと判断した場合には処理をＳ１１３に進める。Ｓ１１３では、ＣＰＵ１０３は、タイマを参照して所定時間が経過したかどうかを判断し、所定時間が経過したと判断した場合には処理をＳ１１４に進め、所定時間が経過していない（所定時間内）と判断した場合には処理をＳ１１２に戻す。Ｓ１１４では、ＣＰＵ１０３は、画像形成装置本体１０及び後処理装置１１を状態２（第１のスリープ状態）に移行するため、スイッチング素子１、３〜６をオフ状態に設定する。これにより、後処理装置１１では、用紙センサ１１２のみ電源電圧３．３Ｖが供給され、ＣＰＵ１１４を含むその他の装置への電源電圧３．３Ｖ、２４Ｖの供給が遮断され、スリープモードである状態２（第１のスリープ状態）に移行する（図３の状態２）。また、画像形成装置本体１０では、表示パネル１４、センサ類（非常夜）１０５、画像形成部１０６、モータ類１０７への電力供給が遮断され、状態２（図３の状態２）に移行し、処理を終了する。
【００３７】
Ｓ１１８では、ＣＰＵ１１４は、マニュアルステープル処理シーケンスの途中でユーザが用紙束を引き抜いたため、マニュアルステープル処理の実行を停止し、ユーザへの警告のために、ＬＥＤ１７を点滅させる。用紙束の引き抜きは、ユーザが用紙束の用紙を揃え直す場合や用紙束のステープル位置を変更するために用紙束を一旦引き抜くことにより発生する。なお、ここでは、ＬＥＤ１７の点滅を行ったが、例えば用紙束を検知した場合に点灯する色とは異なる色で、ＬＥＤ１７を点灯してもよい。また、他の故障の場合にもＬＥＤを点滅させることがある場合には、区別するために、ＬＥＤの点滅周期を短くするなどの点滅周期を変更してもよい。このように、通常時の動作では生じないＬＥＤの点灯動作を行うことにより、ユーザに対して警告を報知することができる。Ｓ１１９では、ＣＰＵ１１４は、タイマをリセットし、スタートさせる。Ｓ１２０では、ＣＰＵ１１４は、用紙センサ１１２の検知結果に基づいて、用紙束がマニュアルステープル位置にあるかどうか判断する。ＣＰＵ１１４は、用紙束がマニュアルステープル位置にあると判断した場合には処理をＳ１２１に進め、用紙束がマニュアルステープル位置にないと判断した場合には処理をＳ１２２に進める。Ｓ１２１では、ＣＰＵ１１４はＬＥＤ１７を点滅状態から点灯状態に設定し、処理をＳ１０７に進める。Ｓ１２２では、ＣＰＵ１１４は、タイマを参照して所定時間が経過したかどうか判断し、所定時間が経過したと判断した場合には処理をＳ１２３に進め、所定時間が経過していないと判断した場合には処理をＳ１２０に戻す。Ｓ１２３では、ＣＰＵ１１４は、用紙束のマニュアルステープル処理は中止になったと判断し、ＬＥＤ１７を点滅状態から消灯状態に設定して、処理をＳ１１０に進める。
【００３８】
図４−２のＳ１２４では、ＣＰＵ１１４は、ステープラユニット１５に設けられた針なしセンサ１１６の検知結果に基づいて、ステープラ１１５が針なし状態かどうかを判断する。ＣＰＵ１１４は、ステープラ１１５が針なし状態と判断した場合には処理をＳ１２５に進め、ステープラ１１５は針なし状態ではないと判断した場合には処理をＳ１３５に進める。Ｓ１２５では、ＣＰＵ１１４は、ステープラ１１５が針なし状態であり、マニュアルステープル処理が実行できないことを警告するために、ＬＥＤ１７を点滅状態に設定する。なお、ここでは、ＬＥＤ１７の点滅を行ったが、例えば用紙束を検知した場合に点灯する色とは異なる色で、ＬＥＤ１７を点灯してもよい。また、他の故障の場合にもＬＥＤを点滅させることがある場合には、区別するために、ＬＥＤの点滅周期を短くするなどの点滅周期を変更してもよい。
【００３９】
Ｓ１２６では、ＣＰＵ１１４は、タイマをリセットし、スタートさせる。Ｓ１２７では、ＣＰＵ１１４は、針なしセンサ１１６の検知結果に基づいて、ステープラ１１５の針交換（針装着）が行われたかどうか判断する。ＣＰＵ１１４は、針なしセンサ１１６の検知結果が針あり（針検知）の場合には針交換が行われたと判断し、処理をＳ１２８に進める。一方、ＣＰＵ１１４は、針なしセンサ１１６の検知結果が針なしの場合には針交換が行われていないと判断し、処理をＳ１２９に進める。Ｓ１２８では、ＣＰＵ１１４はＬＥＤ１７を点滅状態から点灯状態に設定し、マニュアルステープル処理を実施するために、処理をＳ１０３に進める。Ｓ１２９では、ＣＰＵ１１４は、タイマを参照して所定時間が経過したかどうか判断し、所定時間が経過したと判断した場合には処理をＳ１３０に進め、所定時間が経過していないと判断した場合には処理をＳ１２７に戻す。Ｓ１３０では、ＣＰＵ１１４は、ＬＥＤ１７を点滅状態から消灯状態に設定する。Ｓ１３１では、ＣＰＵ１１４は、画像形成装置本体１０のＣＰＵ１０３にステープラ１１５の針なし異常を通知する。Ｓ１３２では、ＣＰＵ１０３は、表示パネル１４のディスプレイにＣＰＵ１１４から受信したアラーム情報を表示するために、スイッチング素子１をオン状態に設定し、表示パネルに電源電圧５Ｖを供給する（図３の状態５）。なお、ＣＰＵ１０３は、針交換の場合にはユーザによる対応が早いことを考慮して、後処理装置１１のステープラ移動モータ１１８等の電源電圧２４Ｖで駆動される装置への電力供給の停止は行わないものとする。Ｓ１３３では、ＣＰＵ１０３は、表示パネル１４のディスプレイに、ステープラ１１５の針なし異常と、後処理装置１１の前ドア２０を開け、針交換を促すエラーメッセージを表示し、ユーザに針交換を再度促す。Ｓ１３４では、ＣＰＵ１１４は、針なしセンサ１１６の検知結果に基づいて、ステープラ１１５の針交換が行われたかどうか判断する。ＣＰＵ１１４は、針交換が行われたと判断した場合には処理をＳ１０３に進め、針交換が行われていないと判断した場合には処理をＳ１３４に戻す。
【００４０】
Ｓ１３５では、ＣＰＵ１１４は、ステープラ１１５の針なし以外の故障で後処理装置１１の初期化処理が正常に終了していないため、後処理装置１１の故障と判断し、画像形成装置本体１０のＣＰＵ１０３に後処理装置１１の故障を通知する。Ｓ１３６では、ＣＰＵ１０３は、表示パネル１４のディスプレイにＣＰＵ１１４から受信したアラーム情報を表示するために、スイッチング素子１をオン状態に設定し、表示パネルに電源電圧５Ｖを供給する（図３の状態５）。更に、ＣＰＵ１０３は、後処理装置１１のステープラ移動モータ１１８等の電源電圧２４Ｖで駆動される装置への電力供給を停止するため、スイッチング素子６をオフ状態に設定する。Ｓ１３７では、ＣＰＵ１０３は、表示パネル１４のディスプレイに、後処理装置１１の故障と主電源をオフすることを促すエラーメッセージの表示を行い、処理を終了する。
【００４１】
図４−２のＳ１３８では、ＣＰＵ１１４は、ホームポジションセンサ１１７の検知結果に基づいて、用紙束へのマニュアルステープル処理が正常終了しなかったのは、針づまり発生によるものなのかどうかを判断する。ＣＰＵ１１４は、針づまりが発生していたと判断した場合には処理をＳ１３９に進め、針づまりが発生していなかったと判断した場合には処理をＳ１４２に進める。用紙束へのマニュアルステープル処理が正常終了しない要因としては、用紙束にステープル処理を行った場合に、ステープラ１１５の針づまりが発生したか、又はステープル処理終了後に、ステープラ１１５が針なし状態になったかの２つの場合が考えられる。そのため、Ｓ１３８では針づまりの発生により、マニュアルステープル処理が正常終了しなかったのかどうかの判断を行っている。なお、本実施例のマニュアルステープル処理では、ステープラ１１５が用紙束を綴じ込むためにステープル処理を行う箇所は、１箇所とする。
【００４２】
Ｓ１３９では、ＣＰＵ１１４は、ステープラ１１５の針づまり故障と判断し、画像形成装置本体１０のＣＰＵ１０３に針づまり故障を通知する。Ｓ１４０では、ＣＰＵ１０３は、表示パネル１４のディスプレイにＣＰＵ１１４から受信したアラーム情報を表示するために、スイッチング素子１をオン状態に設定し、表示パネルに電源電圧５Ｖを供給する（図３の状態５）。更に、ＣＰＵ１０３は、後処理装置１１のステープラ移動モータ１１８等の電源電圧２４Ｖで駆動される装置への電力供給を停止するため、スイッチング素子６をオフ状態に設定する。Ｓ１４１では、ＣＰＵ１０３は、表示パネル１４のディスプレイに、針づまり故障と主電源をオフし、ステープラユニット１５の確認を促すエラーメッセージの表示を行い、処理を終了する。
【００４３】
Ｓ１４２では、ＣＰＵ１１４は、ステープラ１１５が針なし状態であり、次の用紙束に対するマニュアルステープル処理が実行できないことを警告するために、ＬＥＤ１７を点滅状態に設定する。なお、ここでは、ＬＥＤ１７の点滅を行ったが、例えば用紙束を検知した場合に点灯する色とは異なる色で、ＬＥＤ１７を点灯してもよい。また、他の故障の場合にもＬＥＤを点滅させることがある場合には、区別するために、ＬＥＤの点滅周期を短くするなどの点滅周期を変更してもよい。
【００４４】
Ｓ１４３では、ＣＰＵ１１４は、タイマをリセットし、スタートさせる。Ｓ１４４では、ＣＰＵ１１４は、針なしセンサ１１６の検知結果に基づいて、ステープラ１１５の針交換が行われたかどうか判断する。ＣＰＵ１１４は、針なしセンサ１１６の検知結果が針あり（針検知）であり、針交換が行われたと判断した場合には処理をＳ１４５に進める。一方、ＣＰＵ１１４は、針なしセンサ１１６の検知結果が針なしであり、針交換が行われていないと判断した場合には、処理をＳ１４６に進める。Ｓ１４５では、ＣＰＵ１１４はＬＥＤ１７を点滅状態から消灯状態に設定し、マニュアルステープル処理を終了させるために、処理をＳ１１０に進める。Ｓ１４６では、ＣＰＵ１１４は、タイマを参照して所定時間が経過したかどうか判断し、所定時間が経過したと判断した場合には処理をＳ１４７に進め、所定時間が経過していないと判断した場合には処理をＳ１４４に戻す。Ｓ１４７では、ＣＰＵ１１４は、ＬＥＤ１７を点滅状態から消灯状態に設定し、次の用紙束のマニュアルステープル処理を実行しないため、処理をＳ１１４に進める。
【００４５】
以上説明したように、本実施例では、後処理装置１１のステープラ部に関する異常状態がユーザでは対応ができない重大故障（重度の故障）か、又はステープラの針なしのようなユーザが対処可能な軽度の異常かを判断し、報知方法を変更している。これにより、ステープラの針なし時の針交換のような、ユーザの対応が簡単な軽度の異常の警告の場合には、ＬＥＤ１７の点滅表示のみで、画像形成装置本体１０の表示パネル１４を起動した故障メッセージの表示を行わない。そのため、画像形成装置本体１０は低消費電力のスリープモードのままで、後処理装置１１のＬＥＤ１７の点滅により、ユーザに警告を知らせることが可能である。本実施例では、重大故障と軽度の異常とでユーザへの報知方法を変更したが、例えば、用紙束を再度挿入するだけで故障対応が可能な、用紙束の引き抜きの場合だけ（図４−１のＳ１１８）、ユーザへの報知をＬＥＤ点滅による警告を行う制御でもよい。
【００４６】
また、本実施例では、表示パネル１４への表示制御は、画像形成装置本体１０のＣＰＵ１０３が行う構成であったが、表示パネルの制御は図２に示す構成に限定されるものではなく、例えば図５に示す構成で、表示パネルの表示制御を行う構成でもよい。図５に示す画像形成装置１００は、図２に示す画像形成装置１００と比べて、画像形成装置本体１０のＣＰＵ１０３と表示パネル１４との間にユーザＩ／Ｆ（インタフェース）制御基板１２０が追加されている点が異なる。ユーザＩ／Ｆ（インタフェース）制御基板１２０は、ＣＰＵ１２１と、パーソナルコンピュータ（ＰＣ）との接続端子であるＰＣ  Ｉ／Ｆ１２２と、ＵＳＢ端子であるＵＳＢ  Ｉ／Ｆ１２３を有している。ＣＰＵ１２１は、ＰＣ  Ｉ／Ｆ１２２及びＵＳＢ  Ｉ／Ｆ１２３を介して、パーソナルコンピュータとのデータ送受信や、ＵＳＢ機器のデータ読み出し・書き込みを行う。更に、ＣＰＵ１２１は、表示パネル１４の操作ＳＷから入力されたデータや指示情報をＣＰＵ１０３に送信したり、ＣＰＵ１０３から送信された表示情報を表示パネル１４のディスプレイに表示したりする。
【００４７】
以上説明したように、本実施例によれば、消費電力の増加を抑制し、後処理装置のエラー報知を行うことができる。
【実施例２】
【００４８】
実施例１では、ユーザが対処可能な軽い故障を報知する場合に後処理装置に設けられたＬＥＤを用いて故障報知を行う手順について説明した。実施例２では、ＬＥＤの代わりに、ブザーを用いて、警告音を鳴らすことにより故障報知を行う手順について説明する。なお、本実施例の画像形成装置１００を構成する画像形成装置本体１０及び後処理装置１１の構成は実施例１の図２と同様であり、説明を省略する。
【００４９】
［マニュアルステープル処理の制御シーケンス］
図６−１、図６−２は、実施例１の図４−１、図４−２において、後処理装置１１のＬＥＤ１７を用いて、ユーザに故障警告を行っている処理（「ＬＥＤを点滅」）を含む処理シーケンスを抜粋した制御シーケンスである。なお、ＬＥＤ制御についての処理には、図４−１に「ＬＥＤの点灯」（Ｓ１０６）、及び「ＬＥＤの消灯」（Ｓ１０９）がある。この２つの処理は、それぞれ、用紙束のステープル処理中、用紙束のステープル処理終了を表示するためのＬＥＤの制御であり、ユーザに故障警告を行うための制御ではないため、図６−１、図６−２には含めていない。また、図４−１のＳ１００〜Ｓ１１７の処理は、画像形成装置１００がスリープモードの場合に起動される処理であるが、実施例２においても、実施例１と同様に実施される処理であり、ここでの説明は省略する。
【００５０】
図６−１（ａ）に示す処理は、実施例１の図４−１のＳ１０２の判定で、ＮＯの場合、すなわち、後処理装置１１の用紙センサ１１２が用紙束を検知し、後処理装置１１のＣＰＵ１１４の初期化処理が正常に終了しなかった場合に実行される処理である。図６−１（ａ）に示す処理は、実施例１の図４−２のＳ１２４〜Ｓ１３７に示す処理と同様であり、図４−２のＳ１２５、Ｓ１２８、Ｓ１３０の処理が、図６−１（ａ）では、それぞれＳ２００、Ｓ２０１、Ｓ２０２に変更されている。なお、Ｓ１２４、Ｓ１２６、Ｓ１２７、Ｓ１２９、Ｓ１３１〜Ｓ１３７の処理については、図４−２の処理と同様であり、ここでの説明は省略する。
【００５１】
図６−１（ａ）において、Ｓ２００では、ＣＰＵ１１４は、ステープラ１１５が針なし状態であり、マニュアルステープル処理が実行できないことを警告するために、ブザー２３を鳴動させ、警告音を鳴らす。また、Ｓ２０１では、ＣＰＵ１１４はブザー２３の鳴動を停止させて警告音を止め、マニュアルステープル処理を実施するために、処理をＳ１０３に進める。更に、Ｓ２０２では、ＣＰＵ１１４は、ブザー２３の鳴動を停止させて警告音を止める。
【００５２】
図６−２（ｂ）に示す処理は、実施例１の図４−１のＳ１０５の判定で、ＮＯの場合、すなわち、用紙センサ１１２が検知した用紙束が引き抜かれ、用紙束がマニュアルステープル位置にないと判断された場合に実行される処理である。図６−２（ｂ）に示す処理は、実施例１の図４−１のＳ１１８〜Ｓ１２３に示す処理と同様であり、図４−１のＳ１１８、Ｓ１２１、Ｓ１２３の処理が、図６−２（ｂ）では、それぞれＳ２０３、Ｓ２０４、Ｓ２０５に変更されている。なお、Ｓ１１９、Ｓ１２０、Ｓ１２２の処理については、図４−１の処理と同様であり、ここでの説明は省略する。
【００５３】
図６−２（ｂ）において、Ｓ２０３では、ＣＰＵ１１４は、マニュアルステープル処理シーケンスの途中でユーザが用紙束を引き抜いたため、マニュアルステープル処理の実行を停止させ、警告のために、ブザー２３を鳴動させ、警告音を鳴らす。また、Ｓ２０４では、ＣＰＵ１１４は、用紙束がマニュアルステープル位置にあると判断したので、ブザー２３の鳴動を停止させて警告音を止める。そして、ＣＰＵ１１４は、マニュアルステープル処理を実施するために、処理をＳ１０７に進める。更に、Ｓ２０５では、ＣＰＵ１１４は、用紙束のステープル処理は取り止めになったと判断し、ブザー２３の鳴動を停止させて警告音を止め、処理をＳ１１０に進める。
【００５４】
図６−２（ｃ）に示す処理は、実施例１の図４−１のＳ１０８の判定で、ＮＯの場合、すなわち、マニュアルステープル処理が正常に終了しなかった場合に実行される処理である。図６−２（ｃ）に示す処理は、実施例１の図４−２のＳ１３８〜Ｓ１４７に示す処理と同様であり、図４−１のＳ１４２、Ｓ１４５、Ｓ１４７の処理が図６−２（ｃ）では、それぞれＳ２０６、Ｓ２０７、Ｓ２０８に変更されている。なお、Ｓ１３８〜Ｓ１４１、Ｓ１４３、Ｓ１４４、Ｓ１４６の処理については、図４−２の処理と同様であり、ここでの説明は省略する。
【００５５】
図６−２（ｃ）において、Ｓ２０６では、ＣＰＵ１１４は、ステープラ１１５が針なし状態であり、次に挿入される用紙束に対するマニュアルステープル処理が実行できないことを警告するために、ブザー２３を鳴動させ、警告音を鳴らす。また、Ｓ２０７では、ＣＰＵ１１４は、ブザー２３の鳴動を停止させて警告音を止め、マニュアルステープル処理を終了させるために、処理をＳ１１０に進める。更に、Ｓ２０８では、ＣＰＵ１１４は、ブザー２３の鳴動を停止させて警告音を止め、ステープラ１１５は針なし状態なので用紙束のマニュアルステープル処理が実行できないため、処理をＳ１１４に進める。
【００５６】
なお、本実施例では、ユーザが対処可能な軽度の異常を報知する場合に後処理装置１１に設けられたブザーを用いて故障報知を行う手順について説明した。後処理装置１１のＣＰＵ１１４は、ＬＥＤ１７もブザー２３も制御可能であるため、例えば、ブザーを鳴動させる際に、併せてＬＥＤ１７の点滅を行ったり、ブザーの鳴動を停止する際に、併せてＬＥＤ１７の消灯を行ったりしてもよい。これにより、視覚及び音による警告によって相乗効果を発揮させることができる。
【００５７】
以上説明してきたように、本実施例においては、実施例１の実施したＬＥＤの点滅の代わりに、ブザーによる警告音を用いることで、実施例１と同様にユーザビリティを低下させることなく、故障を報知することができる。
以上説明したように、本実施例によれば、消費電力の増加を抑制し、後処理装置のエラー報知を行うことができる。
【符号の説明】
【００５８】
１〜６    スイッチング素子
１０３    ＣＰＵ
１０      画像形成装置本体
１１      後処理装置
１４      表示パネル
１５      ステープルユニット
１７      ＬＥＤ
１１２    用紙センサ
１１４    ＣＰＵ
【図１】
2019043037.tif 000003
【図２】
2019043037.tif 000004
【図３】
2019043037.tif 000005
【図４−１】
2019043037.tif 000006
【図４−２】
2019043037.tif 000007
【図５】
2019043037.tif 000008
【図６−１】
2019043037.tif 000009
【図６−２】
2019043037.tif 000010